(57)【特許請求の範囲】
【請求項１】
一定時間毎にその時間内の走行距離、走行時間、消費カロリー等の走行データを算出して自動的に記録する自動計測モード記録手段を備えたサイクルコンピュータにおいて、所定時間内の走行データを手動にて取得できる手動計測モード記録手段を、前記自動計測モード記録手段に併設するとともに、前記手動計測モード記録手段により取得した走行データは、前記自動計測モード記録手段が対応する時間内にて取得する走行データにも記録されるように構成されたことを特徴とするサイクルコンピュータ。
【請求項２】
前記自動計測モード記録手段および手動計測モード記録手段における走行データ記録のための時刻の設定はカレンダーに連動して記録されるように構成されたことを特徴とする請求項１に記載のサイクルコンピュータ。
【請求項３】
前記自動計測モード記録手段の画面表示は、一定期間毎にリセットされるように構成されたことを特徴とする請求項１または２に記載のサイクルコンピュータ。
【請求項４】
前記自動計測モード記録手段にて記録された走行データは、所定期間経過後には消去されるように構成されたことを特徴とする請求項１から３のいずれかに記載されたサイクルコンピュータ。
【請求項５】
前記手動計測モード記録手段による走行データの記録は複数回行えるように構成されたことを特徴とする請求項１から４のいずれかに記載されたサイクルコンピュータ。
【請求項６】
前記自動計測モード記録手段および手動計測モード記録手段により記録された走行データをパソコン等に接続して、個人によるデータの処理さらにはインターネット等を介した公開にてのデータ処理を可能に構成したことを特徴とする請求項１から５のいずれかに記載されたサイクルコンピュータ。
【発明の詳細な説明】
【技術分野】
【０００１】
本発明は、一定時間毎にその時間内の走行距離、走行時間、消費カロリー等の走行データを算出して自動的に記録する自動計測モード記録手段を備えたサイクルコンピュータに関する。
【背景技術】
【０００２】
歩数計等のように人の歩行中あるいは走行中の歩数をメモリに記録して、走行距離や消費カロリーを換算して表示するものがある。また、自転車用スピードメータが進化したサイクルコンピュータとして走行中の速度や積算走行距離を表示するものがあるが、通常は走行データを記録する機能がない。さらに、アスリート向けモデルのサイクルコンピュータとして走行データを記録するものが提案されているが、機能が特化し、使用者の身長、体重、年齢、平常心拍数等の入力を必要として操作・設定が多種で一般使用者には扱いずらいものであった。このようなサイクルコンピュータとしては下記のようなものがある（下記特許文献１〜３参照）。
【特許文献１】特開平８−１３３１５７号公報（公報要約書参照）
【特許文献２】特開平８−３０１１７２号公報（公報要約書参照）
【特許文献３】特開２００４−１１０６２８号公報（公報要約書参照）
【発明の開示】
【発明が解決しようとする課題】
【０００３】
前記特許文献１に開示された自転車用スピードメータの走行情報管理システムを図７に示して簡単に説明する。スピードメータ１１０のメモリ内に記憶された情報を該スピードメータ１１０自体のスピード信号入力端子１１２、１１４から出力するとともに、これをＩ／Ｏボックス１２０で受け止め、パソコン１３０で受け止めることのできる信号態様に変換する。Ｉ／Ｏボックス１２０はパソコン１３０側から出力される情報を受け取るとともに、これをスピードメータ１１０の前記スピード信号入力端子１１２、１１４を介して該スピードメータ１１０が受け取ることのできる信号態様に変換する機能も合わせて有している。
【０００４】
次に、前記特許文献２に開示された自転車用走行データ処理装置を図８に示して簡単に説明する。自転車競技者のレースやトレーニングをするにあたって、スピードメータ取付け用ブラケット２０３に自転車用データ記憶装置２０２を介してスライドさせて取り付けられたスピードメータ２０１により、走行時間に対する走行速度の変化や走行距離に対する走行速度の変化をみるために、走行時間と関連づけて走行距離と走行速度を記憶する自転車用データ記憶装置２０２を設けることによって、走行終了後に各種データを確認できるようにしたものである。
【０００５】
さらに、前記特許文献３に開示された自転車ユーザの情報管理装置およびサイクルコンピュータを図９に示して簡単に説明する。情報管理装置３０１は、情報を管理すべきユーザを特定するための情報を登録するユーザ登録手段と、登録済のユーザが所有するサイクルコンピュータ３０２からインターネット３０３を介して送られてきた情報を受け付ける情報受付手段と、情報受付手段で受け付けられた情報を、管理制御部３０７により、通信制御部３０５と各種データベース３０６との間でデータを送受して登録されているユーザ毎に格納して管理するとともに、所定の条件下で管理情報を外部からアクセス可能とする管理手段とを備えるものである。
【０００６】
しかしながら、これら前述のサイクルコンピュータにあって、前記図７の第１従来例のものでは、アスリート向けの煩雑なナビゲータ機能を簡素化して走行情報の管理の簡便化を可能とすべく、演算機能等を有する自転車用スピードメータに対して、種々の設定や記憶の読出し等をパソコン上の操作によって簡単に行えるようになったものの、依然として設定モードが多種で煩雑であった。しかも、ユーザの操作により設定された多種の設定モード毎の走行データは得られるものの、運動等を意識しない日常の走行データの取得に対しては何らの考慮がなされていない。
【０００７】
また、前記図８の第２従来例のものでは、走行途中における走行速度と走行距離と走行時間の関係等を走行終了後に、自転車用データ記憶装置２０２を取り外してパソコン等に接続し、走行中の各種データを視覚化させる等して明瞭に確認できることになったものの、走行データの記憶の開始、中断を回転数センサからのパルス信号の有無によって行うオートモードが、走行データの記憶の開始、中断をスタート／ストップボタンによって行うマニュアルモードの選択によって、この選択されたマニュアルモード期間中のオートモードのデータが損なわれてしまう問題があった。
【０００８】
さらに、前記図９の第３従来例のものでは、インターネット３０３を介して自転車ユーザの情報を管理し、管理者とユーザとの結びつきを強めることができて、ユーザに対してより一層のサービスの提供が可能となったものの、登録ユーザ同士の比較管理に重点が置かれていて、一般ユーザ自身のための日常の走行データの取得と手動によるマニュアル走行データの取得の両方が得られる訳ではなかった。
【０００９】
そこで本発明は、前記従来のサイクルコンピュータの課題を解決して、運動等を意識しない日常の走行データの取得・記録を損なうことなく、趣味やトレーニング目的の詳細な走行データの取得・記録も可能なサイクルコンピュータを提供することを目的とする。
【課題を解決するための手段】
【００１０】
このため本発明は、一定時間毎にその時間内の走行距離、走行時間、消費カロリー等の走行データを算出して自動的に記録する自動計測モード記録手段を備えたサイクルコンピュータにおいて、所定時間内の走行データを手動にて取得できる手動計測モード記録手段を、前記自動計測モード記録手段に併設するとともに、前記手動計測モード記録手段により取得した走行データは、前記自動計測モード記録手段が対応する時間内にて取得する走行データにも記録されるように構成されたことを特徴とする。また本発明は、前記自動計測モード記録手段および手動計測モード記録手段における走行データ記録のための時刻の設定はカレンダーに連動して記録されるように構成されたことを特徴とする。また本発明は、前記自動計測モード記録手段の画面表示は、一定期間毎にリセットされるように構成されたことを特徴とする。また本発明は、前記自動計測モード記録手段にて記録された走行データは、所定期間経過後には消去されるように構成されたことを特徴とする。また本発明は、前記手動計測モード記録手段による走行データの記録は複数回行えるように構成されたことを特徴とする。また本発明は、前記自動計測モード記録手段および手動計測モード記録手段により記録された走行データをパソコン等に接続して、個人によるデータの処理さらにはインターネット等を介した公開にてのデータ処理を可能に構成したことを特徴とするもので、これらを課題解決のための手段とする。
【発明の効果】
【００１１】
本発明によれば、一定時間毎にその時間内の走行距離、走行時間、消費カロリー等の走行データを算出して自動的に記録する自動計測モード記録手段を備えたサイクルコンピュータにおいて、所定時間内の走行データを手動にて取得できる手動計測モード記録手段を、前記自動計測モード記録手段に併設するとともに、前記手動計測モード記録手段により取得した走行データは、前記自動計測モード記録手段が対応する時間内にて取得する走行データにも記録されるように構成されたことにより、ユーザの操作がなくても一定時間毎に自動的に各種走行データを取得・収集して記録することができて、ユーザの運動量の管理や目標設定がし易くなり、健康状態の維持・向上に寄与できるとともに、趣味やトレーニング目的として、より細かい時間間隔で詳細な走行データを手動にて取得し記録することができる。しかも、手動計測モードのためのボタン等の押下等により手動計測モードが選択されても、その手動計測モードの記録データは自動計測モード記録手段における記録データに反映されるので自動計測モードのデータ取得を妨げることがないので、運動等を意識しない日常の走行データの取得・記録が損なわれることがない。
【００１２】
また、前記自動計測モード記録手段および手動計測モード記録手段における走行データ記録のための時刻の設定はカレンダーに連動して記録されるように構成された場合は、自動計測モードおよび手動計測モードのいずれの場合にも、記録された走行データの分析を具体的な日時と関連付けて行える。
【００１３】
さらにまた、前記自動計測モード記録手段の画面表示は、一定期間毎にリセットされるように構成された場合は、画面に表示されている走行データは、その時点を含む一定期間内での走行データがあるので、ユーザーは一定期間内における自分の走行状態を常に把握することができる。リセットされるのは画面表示のみで、そのリセットされた画面表示に対応する直前の一定期間の走行データが内部の記録から削除される訳ではない。また、前記自動計測モード記録手段にて記録された走行データは、所定期間経過後には消去されるように構成された場合は、所定期間経過後には最新の積算データの記録領域が新たに確保されるので、自動計測モード記録手段の記録容量が少なくて済む。
【００１４】
さらに、前記手動計測モード記録手段による走行データの記録は複数回行えるように構成された場合は、手動計測モード記録手段の記録容量の範囲内で走行データの記録を繰り返して行えるので、ラップタイムや通勤時間あるいはトレーニングの比較が容易に行える。さらにまた、前記自動計測モード記録手段および手動計測モード記録手段により記録された走行データをパソコン等に接続して、個人によるデータの処理さらにはインターネット等を介した公開にてのデータ処理を可能に構成した場合は、記録された走行データをパソコン上に転送して確認したり、適宜のパソコンソフトを用いて走行データの集計・解析を行ったり、ネットワークに接続してユーザ個人の走行履歴を公開し、他のユーザへの報告、他のユーザとの競い合い等が可能となる。
【発明を実施するための最良の形態】
【００１５】
以下本発明の実施例を図面に基づいて説明する。図１〜図６は本発明のサイクルコンピュータの１つの実施例を示すもので、図１は本発明のサイクルコンピュータの概略イメージ図およびブロック構成図、図２はサイクルコンピュータの正面、側面、裏面図  およびパソコンへの接続状態を示す図、図３は本発明のサイクルコンピュータの自動計測モード（オートモード）の動作フロー図、図４は本発明のサイクルコンピュータの手動計測モード（マニュアルモード）の測定の動作フロー図、図５は本発明のサイクルコンピュータの手動計測モード（マニュアルモード）の操作フロー図、図６は本発明のサイクルコンピュータのネットワーク接続のブロック図である。
【実施例１】
【００１６】
以下に本発明のサイクルコンピュータの実施例を詳述する。本発明のサイクルコンピュータの基本的な構成は、図１に示すように、一定時間毎にその時間内の走行距離、走行時間、消費カロリー等の走行データを算出して自動的に記録する自動計測モード記録手段４を備えたサイクルコンピュータ１において、前記自動計測モード記録手段４に併設して所定時間内の走行データを手動にて取得できる手動計測モード記録手段５を設けるとともに、前記手動計測モード記録手段５により取得した走行データは、前記自動計測モード記録手段４が対応する時間内にて取得する走行データにも記録されるように構成されたことを特徴とする。
【００１７】
図２に示すように、本発明のサイクルコンピュータ１はハンドルバー等に着脱されて使用されるスピードメータ内に装備される。サイクルコンピュータ１は図１（Ｂ）のブロック構成図に示すように、自転車における車輪等の回転部に設置されたマグネットに臨接して車体静止部等に設置された検出部から取り出したパルス信号が入力される信号入力部２を有し、その信号を処理手段７が内部のタイマー３を参照しながら処理を行い、自動計測モード記録手段４により、一定時間毎にその時間間隔に対応した走行距離、実走行時間、消費カロリー等および全走行距離を記録する。表示部９には表示項目切替ボタン８によって選択された項目の情報が表示される。速度はその瞬間毎に処理手段７により換算し表示される。
【００１８】
本発明では、前記自動的に取得・記録された運動等を意識しない日常の走行データの取得・記録が行える自動計測モード記録手段４による自動計測モードに、手動計測モード記録手段５による手動計測モードを併設した。手動計測モード記録手段５はユーザが手動にて任意の所定時間内の走行データを取得すべく、スタート・ストップボタン６を押下して駆動するものである。手動計測モード記録手段５による走行データの取得と記録は、自動計測モード記録手段４の走行データの取得と記録を妨げることがなく、運動等を意識しない日常の走行データの取得・記録を損なうことがない。つまり、手動計測モードが行われても自動計測モードも中断することなく並行して続行される。なお、出力部１０には後述するように、走行終了後にサイクルコンピュータ１をパソコン１１（図２（Ｆ））に接続して走行データを解析する際にＵＳＢケーブル等が接続される。
【００１９】
図２はサイクルコンピュータの各面図およびパソコンへの接続状態を示す図である。図２（Ａ）に示すように、スピードメータとしての外観を呈するサイクルコンピュータ１は、前面上部にデジタル表示部９が、前面下部に表示項目（速度、走行距離、走行時間、消費カロリー等）を切り替える表示項目切替ボタン８が、下端部に手動計測モードの開始および停止を行うスタート・ストップボタン６が配設される。図２（Ａ）は自動計測モード（オートモード）の表示例で、図２（Ｂ）は手動計測モード（マニュアルモード）の表示例である。速度と積算距離が表示されている。表示項目切替ボタン８の操作により、その他の項目（走行時間、消費カロリー等）を表示することができる。図２（Ｃ）に示すように、サイクルコンピュータ１の側面にはＵＳＢ端子等のような出力部１０が配設される。
【００２０】
図２（Ｄ）に示すように、サイクルコンピュータ１の裏面にはリセットスイッチ１４が配設される。図２（Ｅ）に示すように、サイクルコンピュータ１は、ハンドルバー１５に装着される半割りリング状の取付部材１３の台座１３Ａにワンタッチあるいはビス等により着脱自在に取り付けられる。図２（Ｆ）はサイクルコンピュータ１のパソコンへの接続状態を示す図で、前記図２（Ｅ）の取付部材１３の台座１３Ａから取り外したサイクルコンピュータ１をＵＳＢケーブル１２等を用いてパソコン１１に接続することにより、走行により得られた各種走行データの解析およびインターネット等のネットワークを用いてデータの交換等を行うものである。
【００２１】
パソコン１１への接続については、ＵＳＢ接続の他、ＩＥＥＥ１３９４、シリアル、パラレル接続等の有線接続や、赤外線等の適宜の無線接続でもよい。有線接続の場合は、（１）サイクルコンピュータ１にプラグを搭載する。（２）クレードルで接続する。（３）サイクルコンピュータ１にコネクタのみ搭載してケーブルで接続する。等の方法が考えられる。かくして、サイクルコンピュータ１からパソコン１１へ走行データを転送し、パソコン１１上で走行データを確認することができる。図６に示すように、複数のユーザ１〜ｎのサイクルコンピュータ１からのパソコンを通じたネットワーク接続により、自身の走行履歴を他のユーザに公開開示し、相互に閲覧可能に構成することもできる。これにより、他のユーザとの激励や競争によって、自らの意欲を高揚させて、トレーニングを継続する効果を生じさせる。
【００２２】
図１（Ａ）は本発明のサイクルコンピュータの概略イメージ図で、横軸が時間、縦軸が走行距離を表している。また、右上りの連続線は実際の走行状態を表している。自転車が走行を開始すると、図１（Ａ）の横軸に示す一定時間毎（例えば２時間毎）で自動計測モード（オートモード）記録手段４によりその区間の走行データが記録される。自動計測モード記録手段４により取得し記録するデータは、実際の走行状態における一定時間に対応した走行距離、実際に走行していた時間（停止時間は除く）、消費カロリー（換算値）、および全走行距離である。自動計測モードでは記録を行う時間間隔が、例えば２時間等、後述する手動計測モードと比較して長い間隔に設定される。実走行の連続線には始めの一定時間で変曲点があり、走行速度が上昇していることがわかるが、自動計測モードではこのような区間内の詳細な内容は記録せず、前述のようにその１区間（一定時間）の結果のみを記録している。
【００２３】
一定時間での走行データの記録について詳細に説明すると、本発明のサイクルコンピュータでは例えば１秒毎に、走行距離、走行時間、消費カロリーを取得しメモリーに保持する。この保持する領域は１つで、この例では１秒毎に更新され常に最新の値だけが保持されていく。つまり、この保持領域の１秒以前のデータは上書きされて消去されていく。自動計測モードでは、一定時間（前述では２時間）経過した時点で、この保持領域に保持されていた最新の更新データがその区間の走行データとしてカレンダーと関連付けされてメモリに記録されていく。このデータが後でパソコンにて確認できる走行データである。
【００２４】
すなわち、この自動計測モードは運動等を意識しない日常の走行データの取得・記録がなされるもので、自転車で走行を開始すれば、ユーザの意思とは関わりなく自動的に行われる。サイクルコンピュータ１のデジタル表示部９には、表示項目切替ボタン８の押下にて、走行距離、実走行時間、消費カロリーといった自動計測モードによる積算データ（後述する表示リセットに依存）や、その瞬間の速度、を切り替えて表示することができる。自動計測モードでは、一定時間毎に走行データの記録を繰り返した後、一定期間毎（例えば１日毎）にデジタル表示部９に表示されている走行データをリセットする。表示はリセットされるが、積算されている走行データはメモリに記録されたままである。すなわち、自動計測モードでは、デジタル表示部９に表示される各種のデータを、例えば１日毎に０（零）とし、その日の走行データのみをユーザに知らせることができる。また、この積算された走行データは、所定期間として例えば３０日毎に古い順番に１日分ずつ自動的に削除され、記録容量を抑制しつつ常に新規の走行データを記録できるように構成されている。
【００２５】
このような自動計測モードと並行して、図１（Ａ）の自動計測モードの２つ目の一定時間（右側）に示すように、トレーニングユーザが手動計測モードを行うべく、スタート・ストップボタン６を押下すると、手動計測モード記録手段５により手動計測モードでの走行データの取得と記録が開始される。手動計測モードでは、例えば１分毎のように、自動計測モードの一定時間（前述では例えば２時間）よりも細かい一定時間で所定時間内の走行データを取得・記録するようになっている。再度、スタート・ストップボタン６を押下すると、手動計測モードを停止させることができる。手動計測モード記録手段５により取得し記録するデータは、一定時間に対応した走行距離、実際に走行していた時間（停止時間は除く）、消費カロリー（換算値）、およびスタート・ストップボタン６による記録の開始からその時点までの所定時間内の最高速度、である。
【００２６】
手動計測モードで走行データを記録している間は、サイクルコンピュータ１のデジタル表示部９には、その時点で手動計測モードにより取得されている走行データが表示される表示項目切替ボタン８の押下にて、手動計測モードを開始するためにスタート・ストップボタン６を押下した時からの走行距離、実走行時間、消費カロリー、およびその瞬間の速度、さらにはその時点までの最高速度、を切り替えて表示することができる。自動計測モードでの表示は一定期間（例えば１日毎）を基準にした情報であるが、手動計測モードの表示は、スタート・ストップボタン６の押下による計測開始を基準にした情報となっている。この手動計測モードは、手動計測モード記録手段５の記録容量内にて複数回行うことができる。なお、手動計測モードの記録が、自動計測モードの記録を行う一定時間を跨いで行われた場合でも、手動計測モードの記録は区切られることなく、１つのデータ（スタート・ストップボタン６の操作による計測開始から終了まで）として記録される。
【００２７】
自動計測モードおよび手動計測モードにて取得・記録される走行データとしては、パルス信号から換算された速度と走行時間から算出される走行距離、走行時間、最高速度、自動計測モードにおける休止時間を含めて一定時間内に走行した距離、一般的に速度から単純に換算される消費カロリー等である。その他、平均速度や手動計測モード操作回数等の適宜の走行データの取得が可能である。そして、それらの走行データは、カレンダーと連動した時刻の設定と関連付けられていることにより、取得された日時と対応して記録される。
【００２８】
図３は本発明のサイクルコンピュータの自動計測モード（オートモード）の動作フロー図である。自転車が走行を開始することでユーザが格別の操作をすることなしに自動計測モードが開始される。図示の例では、カウンターｃｎｔによって、１カウント＝１秒により、２時間（７２００カウント）毎にＲＯＭに走行データが書き込まれ、２４時間（８６４００カウント）毎にデータリセットがなされる例である。ステップＳ１にて測定パルス信号から速度が換算され、ステップＳ２にて、速度と走行時間（あるいは車輪径とパルス数から換算して）から走行距離が算出され、休止時間を含めて一定時間内での走行距離の合計が積算される。ステップＳ３にて一定時間内で走行した走行時間の合計が積算される。ステップＳ４にて、速度から単純に換算される一定時間内での消費カロリーを合計した積算がなされる。
【００２９】
ステップＳ５にて一定時間（２時間）の経過が確認されると、ステップＳ６にてそれまでの走行データがＲＯＭに書き込まれる。ステップＳ７にてデータリセット時間（２４時間）の経過が確認されると、  ステップＳ８にて走行距離データがリセットされ、ステップＳ９にて走行時間データがリセットされ、ステップＳ１０にて消費カロリーデータがリセットされ、ステップＳ１１にてカウンタ値がゼロにリセットされて、測定が継続される。上述したように、走行データの表示は２４時間毎にクリアされるが、メモリ上は保存されており、好適には、所定期間として３０日分程度のメモリ容量を有しており、３０日分を超過した過去分のデータから順次削除され新規データの記録を行えるように構成される。
【００３０】
図４は本発明のサイクルコンピュータの手動計測モード（マニュアルモード）の測定の動作フロー図である。本発明では、前述の、自転車が走行を開始することでユーザが格別の操作をすることなしに行われる自動計測モードと並行して、手動計測モードを設定し、ユーザが自動計測モードよりも細かい時間間隔での走行データの取得・記録を任意で行えるものである。図示の例では、カウンターｃｎｔ（ｍ）によって、１カウント＝１秒により、６０秒時間（６０カウント）毎にＲＯＭに走行データが書き込まれる例である。ステップＳ１にてスタート・ストップボタン６（図１および図２）が押下されると、ステップＳ２にて、手動計測モードにおける計測数の最大数ｎ以内であることが確認されると、ステップＳ３に移行してメモリ残量判定がなされる。もし、ステップＳ２にて測定本数がｎ以上であることが確認されると、ステップＳ１４に移行して手動計測モードは中止されて表示が切り替えられて自動計測モード（オートモード）に復帰して、自動計測モードが開始される（ステップＳ１５）。
【００３１】
ステップＳ３にてメモリ残量が充分であることが確認されると、手動計測モードのカウンタが作動し（ステップＳ４）、ステップＳ５にて表示部の表示が手動計測モードに切り替えられ、ステップＳ６にて手動計測モードの測定が開始される。ステップＳ７にて、速度と走行時間（あるいは車輪径とパルス数から換算して）から走行距離が算出され、手動計測モード時間内での走行距離の合計が積算される。ステップＳ８にて手動計測モード時間内で走行した走行時間の合計が積算される。ステップＳ９にて、速度から単純に換算される手動計測モード時間内での消費カロリーを合計した積算がなされる。ステップＳ１０にて一定時間（カウント６０の６０秒間）の経過が確認されると、ステップＳ１１にてそれまでの走行データがＲＯＭに書き込まれる。ステップＳ１２にてメモリ残量判定がなされ、メモリ残量が充分ならステップＳ８に戻り走行データの取得・記録が繰り返され、メモリ残量がなくなるとステップＳ１３にて手動計測モードの測定が停止する。そして、ステップＳ１４に移行して手動計測モードは中止されて表示が切り替えられて自動計測モード（オートモード）に復帰し、自動計測モードが再開される（ステップＳ１５）。
【００３２】
図５は本発明のサイクルコンピュータの手動計測モード（マニュアルモード）の操作フロー図である。本実施例では、手動計測モードによる計測中にスタート・ストップボタンの押下時間によって、手動計測モードを一時停止したり手動計測モードを終了して自動計測モードに移行できるように構成したものである。ステップＳ１にて自動計測モードによる計測がなされている状態にて、スタート・ストップボタン６が押下されると（ステップＳ２）、ステップＳ３にて表示が手動計測モードに切り替えられ、ステップＳ４にて手動計測モードによる計測が開始される。この状態で、さらにステップＳ５にてスタート・ストップボタン６が押下されると、ステップＳ６にてその押下時間の判定がなされる。長押しならばステップＳ１０に移行して手動計測モードは停止され、手動計測モードは終了して（ステップＳ１１）、ステップＳ１２にて表示が切り替えられて自動計測モードに復帰する。
【００３３】
ステップＳ６にてスタート・ストップボタン６が通常の押下（長押しではない）がされたならばステップＳ７に移行して手動計測モードは一時停止される。ステップＳ８にて再度のスタート・ストップボタン６の押下が確認されると、手動計測モードの測定が再開される。本実施例では、スタート・ストップボタン６の押下時間の多少によって手動計測モードの停止あるいは一時停止を選定できるように構成したもので、手動計測モードにおけるメモリ容量（残量）との関連における手動計測モードの停止制御は前述の図４の制御フローによることは言うまでもない。
【００３４】
以上、本発明の実施例について説明してきたが、本発明の趣旨の範囲内で、自動計測モードおよび手動計測モードにおけるそれぞれの計測が記録される一定時間の間隔、計測・記録される走行データの種類（走行距離、走行時間、消費カロリー、平均速度等）、自動計測モードにおける計測開始のための入力信号の種類（好適には、車輪等の回転部に設置されたマグネットをリードスイッチに発生したパルス信号を検出して走行データの取得・記録が開始されるが、その他の走行検出手段を用いてもよい）、画面表示の一定期間毎にリセットされる間隔期間、走行データが消去される所定期間毎の間隔期間、手動計測モードにおける計測開始のためのスタートストップボタンの形状、形式、走行データの記録終了表示形態（記録容量の残量を表示したり、音声で警告したり、表示部の点滅等適宜の方法が採用できる）、新たな走行データ取得のための古いデータのフォーマット形態、サイクルコンピュータとパソコン等の接続形態およびその走行データの処理形態等については適宜選定できる。
【図面の簡単な説明】
【００３５】
【図１】本発明のサイクルコンピュータの１つの実施例を示すもので、概略イメージ図およびブロック構成図である。
【図２】同、サイクルコンピュータの正面、側面、裏面図およびパソコンへの接続状態を示す図である。
【図３】同、本発明のサイクルコンピュータの自動計測モード（オートモード）の動作フロー図である。
【図４】同、本発明のサイクルコンピュータの手動計測モード（マニュアルモード）の測定の動作フロー図である。
【図５】同、本発明のサイクルコンピュータの手動計測モード（マニュアルモード）の操作フロー図である。
【図６】同、本発明のサイクルコンピュータのネットワーク接続のブロック図である。
【図７】第１従来例である自転車用スピードメータの走行情報管理システムの説明図である。
【図８】第２従来例である自転車用走行データ処理装置の説明図である。
【図９】第３従来例である自転車ユーザの情報管理装置およびサイクルコンピュータの説明図である。
【符号の説明】
【００３６】
１      サイクルコンピュータ
２      信号入力部
３      タイマー
４      自動計測モード記録手段
５      手動計測モード記録手段
６      スタート・ストップボタン
７      処理手段
８      表示項目切替ボタン
９      表示部
１０      出力部
１１      パソコン
１２      リセットスイッチ
【図１】
0005106959.tif 000002
【図２】
0005106959.tif 000003
【図３】
0005106959.tif 000004
【図４】
0005106959.tif 000005
【図５】
0005106959.tif 000006
【図６】
0005106959.tif 000007
【図７】
0005106959.tif 000008
【図８】
0005106959.tif 000009
【図９】
0005106959.tif 000010